(57)【特許請求の範囲】
【請求項１】
ポジフィルムを支持するポジフィルムマウントが載せられるマウントホルダーが内部に設けられたオートマウントキャリアの内部に設けられており、前記ポジフイルムのフィルム面のたわみに起因するピントのずれを自動的に修正するオートフォーカス装置であって、
前記マウントホルダーの一方の側方に配置された光源と、
前記マウントホルダーの下側に配置されて、前記光源から照射される光を、前記フィルム面で反射されるように該フィルム面に対して所定の入射角度になるように出射する第１光学手段と、
前記マウントホルダーの他方の側方に配置された光電変換素子と、
前記マウントホルダーの下側に配置されて、前記第１光学手段から出射されて前記フィルム面で反射された光を前記光電変換素子に入射させる第２光学手段と、
前記光電変換素子にて受光される光に基づいて前記マウントホルダーを昇降させる駆動部とを有することを特徴とするオートフォーカス装置。
【発明の詳細な説明】
【０００１】
【発明の属する技術分野】
本発明は、フィルム面の位置を検出して、該フィルム面を所定位置に移動させるオートフォーカス装置に関する。
【０００２】
【従来の技術】
周知の様に、フィルムの画像を印画紙に焼き付ける装置としては、ネガフィルム専用と、ポジフィルム専用の２種類がある。これは、ネガフィルムとポジフィルムでは、投影される画像の特性が全く異なり、印画紙や現像液等が全く異なるので、両方の装置を併用できないためである。
【０００３】
ポジフィルム専用の装置は、例えば図２に示す様に、光源５０１と、イエロー（Ｙ）、マゼンタ（Ｍ）、シアン（Ｃ）の３補色フィルター５０４と、オートフォーカス装置５５０と、レンズユニット５０９と、シャッタ５０２と、１コマ分ずつ印画紙Ｘを送り出すマガジン５１０とを有する。レンズユニット５０９には、固定焦点レンズまたは焦点距離可変のバリフォーカスレンズが用いられる。さらに、図示していないが、オートフォーカス装置５５０の下方の適切な位置には、焼き付けを行うために、青（Ｂ）、緑（Ｇ）、及び赤（Ｒ）の３原色の画像濃度情報を検出する光センサ（例えば、フォトダイオード）が設けられ、ポジフィルムの平均透過濃度ＬＡＴＤ（Large Area Transmittance Density）を測定する。
【０００４】
オートフォーカス装置５５０は、図３に示す様に、ポジフィルム５０８を挟持するポジフィルムマウント５０７と、ポジフィルムマウント５０７をＶガイド５０６を介して着脱自在に支持するマウントキャリア５０５と、マウントキャリア５０５を支持するキャリアフレーム５０５’と、レンズユニット５０９の光軸と平行に配置され、キャリアフレーム５０５’をスライド自在に支持する２本のガイドロッド（図示せず）と、キャリアフレーム５０５’を上下動させる駆動部５２０とを有する。さらに、オートフォーカス装置５５０は、ポジフィルム５０８に対して斜めの入射光路上に、赤外線を発光する細い線状のフィラメントを有するランプ５１１と、線状フィラメントからの光のみを通過させる赤外線透過フィルタ５１２と、その赤外線をポジフィルム５０８に集光する発光側レンズ５１３とを有し、受光光路上に、赤外線の映像を集光する受光側レンズ５１４と、その映像の赤外線のみを通過させる赤外線透過フィルタ５１５と、線状フィラメントの赤外線を検知する一対の光導電素子５１６とを有する。
【０００５】
駆動部５２０においては、図４に示す様に、上記２本のガイドロッドの間にネジ軸５２５が平行に設けられている。ネジ５２５の上端は、キャリアフレーム５０５’に固定され、ネジ軸の下端部は、スリーブ５２６の内周に形成された雌ネジ５２７と螺合している。スリーブ５２６の外周には雄ネジ５２８が形成され、この雄ネジ５２８は、固定部材５２９に設けたネジ孔５３０と螺合している。スリーブ５２６の上端部にはギヤ５３１が設けられ、ギヤ５３１とモータ５３２によって駆動される駆動ギヤ５３３間に伝導ギヤ５３４が設けられている。モータ５３２の駆動によってスリーブ５２６を回転させると、スリーブ５２６は、本体フレーム５２９に対して移動すると共にネジ軸５２５はスリーブ５２６に対してスリーブ５２６の移動方向とは逆方向に移動する。このため、マウントキャリア５０５は、スリーブ５２６の移動方向からネジ軸５２５の移動量だけ差し引いた量だけレンズユニット５０９に対して移動する。
【０００６】
この様な構成のオートフォーカス装置は以下の様に動作する。
【０００７】
まず、マウントキャリア５０５にポジフィルムマウント５０７をセットする。ＬＡＴＤの測定の前後の適合な時点で、オートフォーカス装置５５０のランプ５１１を点灯し、線状フィラメント像の赤外線を発生させ、赤外線透過フィルタ５１２及び発光側レンズ５１３を介してポジフィルム５０８を照射する。赤外線は、図３に示すようにポジフィルム５０８に結像して、受光側レンズ５１４及び赤外線フィルタ５１５を通り、光導電素子５１６で受光される。
【０００８】
ポジフィルム５０８に入射される赤外線の像は、フィルム面がたわんでいるとそのたわみ方向とたわみ量とにより結像する位置がフィルム中央からずれる。例えば、フィルム面が上方に凸にたわんでいると、フィラメント像はＡ点に結像し、下方にたわんでいるとＢ点に結像する。点Ａ及び点Ｂで結像したフィラメント像はそれぞれ、光導電素子５１６上では基準点Ｏ’から点Ａ’及び点Ｂ’だけずれた位置に結像する。
【０００９】
光導電素子５１６上の像が基準点Ｏ’からＡ’の方向にずれると（すなわち、フィルムが上方にたわむと）、モータ５３２が正回転する。これによって、マウントキャリア５０５が下降し、フィルム面の像が基準点Ｏ側に移動するので、光導電素子５１６上では像が基準点Ｏ’に移動する。像が基準点Ｏ’に結像したときに、モータ５３２が停止する。また、光導電素子５１６上の像が基準点Ｏ’からＢ’の方向にずれると（すなわち、フィルムが下方にたわむと）、モータ５３２が逆回転する。これに伴い、マウントキャリア５０５が上昇して、フィルム面の像が基準点Ｏ側に移動し、光導電素子５１６上でも像が基準点Ｏ’に移動し、光導電素子５１６上の像が基準点Ｏ’に結像したときに、モータ５３２が停止する。
【００１０】
このようにして、フィルム面のたわみに起因する印画紙に焼き付けられる像のピントのずれを自動的に修正する。
【００１１】
【発明が解決しようとする課題】
ところで、近年においては、ネガフィルム及びポジフィルムのいずれであっても、フィルムの画像をＣＣＤ等によって読み取って、画像データを取り込み、この画像データに基づいて画像を印画紙に焼き付けると言う方法を採用している。この場合、ネガフィルムから得られた画像データ、もしくはポジフィルムから得られた画像データを画像処理することにより、両者の画像データの特性を共通化することができるので、ネガフィルム及びポジフィルムに共通の印画紙や現像液を用いることができ、ネガフィルム専用の装置とポジフィルム専用の装置の両方を必要とせず、１つの装置で間に合う。
【００１２】
この様なネガフィルム及びポジフィルム兼用の装置においては、ネガフィルムを搬送しつつ、印画紙への露光を行うためのオートネガマスクと、ポジフィルムを収納して、印画紙への露光を行うためのオートマウントキャリアを差し替えて、ネガフィルムからの焼き付けとポジフィルムからの焼き付けを共に行う。
【００１３】
この場合、ポジフィルム用のオートマウントキャリアをネガフィルム用のオートネガマスクと同程度に小型化する必要がある。例えば、キャリアフレーム５０５’や本体フレーム５２９に相当する部分を省略し、マウントキャリア５０５内でポジフィルムマウント５０７を保持しつつ上下に昇降させると言う試みがなされている。これによって、小型軽量化、構成の簡略化、コストの低減等を図ることができる。
【００１４】
更には、マウントキャリア５０５内に上記オートフォーカス装置を収納するのが望ましい。しかしながら、該オートフォーカス装置においては、ランプ５１１並びに光導電素子５１６とマウントキャリア５０５間のスペースが大きいため、該オートフォーカス装置全体をマウントキャリア内に収めることができなかった。
【００１５】
そこで、本発明は、小型化を実現することが可能なオートフォーカス装置を提供することにある。
【００１６】
【課題を解決するための手段】
上記課題を解決するために、本発明のオートフォーカス装置は、ポジフィルムを支持するポジフィルムマウントが載せられるマウントホルダーが内部に設けられたオートマウントキャリアの内部に設けられており、前記ポジフイルムのフィルム面のたわみに起因するピントのずれを自動的に修正するオートフォーカス装置であって、前記マウントホルダーの一方の側方に配置された光源と、前記マウントホルダーの下側に配置されて、前記光源から照射される光を、前記フィルム面で反射されるように該フィルム面に対して所定の入射角度になるように出射する第１光学手段と、前記マウントホルダーの他方の側方に配置された光電変換素子と、前記マウントホルダーの下側に配置されて、前記第１光学手段から出射されて前記フィルム面で反射された光を前記光電変換素子に入射させる第２光学手段と、前記光電変換素子にて受光される光に基づいて前記マウントホルダーを昇降させる駆動部とを有することを特徴とする。
【００１８】
【発明の実施の形態】
以下、本発明の実施形態を添付図面を参照して説明する。
【００１９】
図１は、本発明のオートフォーカス装置の一実施形態を示す側面図である。同図において、オートマウントキャリア１１内には、上限に昇降可能に支持されたマウントホルダー１２と、該マウントホルダー１２を昇降させる駆動部１３とを配設している。マウントホルダー１２にポジフィルムマウント１４を載せ、このマウントホルダー１２を駆動部１３によって上下に昇降させて、ポジフィルムマウント１４のフィルム面の位置を制御する。マウントホルダー１２には、マウント送り爪１５が設けられており、このマウント送り爪１５によってポジフィルムマウント１４がマウントホルダー１２に送り込まれて配置される。
【００２０】
また、オートマウントキャリア１１内には、光源１６と、第１反射ミラー１７と、第２反射ミラー１８と、受光部１９とを配設している。光源１６は、赤外線を発光する細い線状のフィラメントを有するランプ２１、赤外線透過フィルタ２２及び発光側レンズ２３等を筒体２４に収納してなる。受光部１９は、光導電素子２５、赤外線透過フィルタ２６及び受光側レンズ２７を筒体２８に収納してなる。
【００２１】
光源１６において、ランプ２１の線状フィラメントから発光された赤外線は、赤外線透過フィルタ２２及び発光側レンズ２３を通過して出射される。この光源１６から出射された赤外線は、第１反射ミラー１７で反射されて、ポジフィルムマウント１４のフィルム面に入射して、該フィルム面にランプ２１の線状フィラメントが結像される。このフィルム面で反射された赤外線は、第２反射ミラー１８で更に反射されて受光部１９に入射する。
【００２２】
受光部１９において、第２反射ミラー１８で反射された赤外線は、赤外線透過フィルタ２６を通過して光導電素子２５に入射され、この光導電素子２５の受光部にランプ２１の線状フィラメントが結像される。光導電素子２５は、図３に示す従来装置における光導電素子５１６と同様に、一対の受光部を有しており、ランプ２１の線状フィラメントの像のずれた位置を検出する。
【００２３】
この様な構成において、ポジフィルムマウント１４のフィルム面が上下方向のいずれかにたわんで、該フィルム面の像が上下方向にずれると、光導電素子２５においてもランプ２１の線状フィラメントの像の位置がずれるので、光導電素子２５によって線状フィラメントの像の位置ずれを検出することができる。この光導電素子２５からの線状フィラメントの像の位置ずれを示す出力に応じて、駆動部１３によってマウントホルダー１２を上下に昇降させ、ポジフィルムマウント１４のフィルム面を所定の位置に移動させる。
【００２４】
本実施形態においては、光源１６からポジフィルムマウント１４のフィルム面に至る第１光路が第１反射ミラー１７によって屈折され、かつポジフィルムマウント１４のフィルム面から受光部１９に至る第２光路が第２反射ミラー１８によって屈折されている。このため、光源１６とポジフィルムマウント１４間の距離、及び受光部１９とポジフィルムマウント１４間の距離が共に短くなり、光源１６並びに受光部１９とポジフィルムマウント１４間のスペースが小さくなる。このため、図３に示す従来装置（キャリアフレーム５０５’及び本体フレーム５２９を含む）と比較すると、オートフォーカス装置全体として大幅な小型化を実現することができ、オートフォーカス装置、つまり光源１６及び受光部１９等をオートマウントキャリア１１内に収納することができる。
【００２５】
また、本実施形態においては、オートマウントキャリア１１内のマウントホルダー１２のみを昇降させているので、マウントキャリア５０５及びキャリアフレーム５０５’を上下に昇降させる図３に示す従来装置と比較すると、昇降させる部分の重量が極めて軽くて済み、マウントホルダー１２を昇降させる駆動部１３の負荷が極めて小さい。このため、駆動部１３は、図３に示す従来装置程の強度や駆動力を必要とせず、簡単、軽量かつ低消費電力のもので済む。
【００２６】
尚、本発明は、上記実施形態に限定されるものでなく、多様に変形することができる。例えば、光源１６とフィルム面間の第１光路を１回だけ屈折させ、フィルム面と受光部１９間の第２光路を１回だけ屈折させているが、これらの光路を複数回屈折させても良い。また、反射ミラーの代わりに、プリズム等を適用したり、光ファイバーを適用しても構わない。光ファイバーを適用する場合は、光源１６の出射側及び受光部１９の入射側に、それぞれの光ファイバーを連結し、光源１６の出射側の光ファイバーを折り曲げて、第１光路を形成し、受光部１９の入射側の光ファイバーを折り曲げて、第２光路を形成する。
【００２７】
【発明の効果】
以上説明した様に、本発明のオートフォーカス装置によれば、光源からフィルム面に至る第１光路及びフィルム面から光電変換素子に至る第２光路のうちの少なくとも一方を屈折させている。このため、光源並びに光電変換素子とフィルム面間のスペースが小さくて済み、該オートフォーカス装置を小型化して、フィルムを保持するマウントキャリアに内蔵することができる。
【図面の簡単な説明】
【図１】本発明のオートフォーカス装置の一実施形態を示す側面図である。
【図２】従来のオートフォーカス装置を備えるポジフィルム専用の焼き付け装置を概略的に示す図である。
【図３】図２の従来のオートフォーカス装置を概略的に示す図である。
【図４】図３の従来のオートフォーカス装置のマウント駆動部を概略的に示す図である。
【符号の説明】
１１  オートマウントキャリア
１２  マウントホルダー
１３  駆動部
１４  ポジフィルムマウント
１５  マウント送り爪
１６  光源
１７  第１反射ミラー
１８  第２反射ミラー
１９  受光部
【図１】
0004065934.tif 000002
【図２】
0004065934.tif 000003
【図３】
0004065934.tif 000004
【図４】
0004065934.tif 000005